(57)【特許請求の範囲】
【請求項１】
腐食性のシート本体と、該シート本体の下面に植生基材を貼着することにより形成した下側植生基材層と、前記シート本体の上面に植生基材を貼着することにより形成した中間植生基材層と、腐食性繊維により編成し、該中間植生基材層上に被装して前記シート本体に適宜の位置で接続材により係着した上側ネットとから構成してなる植生シート。
【請求項２】
腐食性のシート本体と、該シート本体の下面に植生基材を貼着することにより形成した下側植生基材層と、前記シート本体の上面に植生基材を貼着することにより形成した中間植生基材層と、腐食性素材からなる基体に植生基材を充填又は貼着して形成し、該中間植生基材層上に所定の間隔で配設した複数の植生基材体と、腐食性繊維により編成し、該複数の植生基材体の上から前記中間植生基材層に被装して前記シート本体に適宜の位置で接続材により係着した上側ネットとから構成してなる植生シート。
【請求項３】
腐食性のシート本体と、該シート本体の下面に植生基材を貼着することにより形成した下側植生基材層と、前記シート本体の上面に植生基材を貼着することにより形成した中間植生基材層と、該中間植生基材層上に被装して前記シート本体に適宜の位置で接続材により係着した二重織りの上側ネットと、腐食性素材からなる基体に植生基材を充填又は貼着して形成し、該上側ネット内に所定の間隔で挿装した複数の植生基材体とから構成してなる植生シート。
【請求項４】
前記シート本体及び／又は上側ネットは、稲藁で形成した藁菰であることを特徴とする請求項１記載の植生シート。
【請求項５】
前記上側ネットは、適宜の太さの腐食性素材を粗く編成することによって、多数の種子捕捉穴部が縦横に形成したものであることを特徴とする請求項１、２又は３記載の植生シート。
【請求項６】
前記中間植生基材層は、前記下側植生基材層より溶解速度を遅く設定してあることを特徴とする請求項１、２又は３記載の植生シート。
【請求項７】
前記植生基材体は、綿糸を混在させた溶解紙で袋状に形成した基体に植生基材を充填したものであることを特徴とする請求項２又は３記載の植生シート。
【請求項８】
前記植生基材体は、綿糸を混在させた溶解紙又は分解性不織布の一面に植生基材を貼着し、ロール状に巻回して形成したものである請求項２又は３記載の植生シート。
【請求項９】
前記植生基材体は、綿糸を混在させた溶解紙又は分解性不織布の複数枚の各一面に植生基材を貼着し、同心円状に巻回して形成したものである請求項２又は３記載の植生シート。
【発明の詳細な説明】
【技術分野】
【０００１】
本発明は、河岸或いは土手、法面等の傾斜面に草木を繁殖させることにより土砂の流出を防止して地盤を保護し、また緑化を図るのに好適な植生シートに関する。
【背景技術】
【０００２】
法面等に草木を繁殖させて土砂の流出を防止することにより地盤を保護し、また緑化を図るための植生シートは従来から用いられている。例えば、植物繊維よりなる厚手のマットと、腐食性の薄手のシート又は網状体との間に、植生基材を充填した水溶性素材よりなる袋体を並列に配置して介在させ、そのマットとシート又は網状体とを締結部材によって固定して構成し、シート又は網状体を法面に接した状態で敷設するようにした植生用マットがある（特許文献１）。
【特許文献１】特許第２７８４７６０号公報
【発明の開示】
【発明が解決しようとする課題】
【０００３】
しかし、上述した従来技術の植生用マットは、植物繊維によって厚手に形成したマットによって、植生基材を充填した水溶性の袋体を覆うように構成してあるので、マットの腐食と草木の生育の時期が合わないという問題が起きる欠点がある。また、厚手のマットが障害になって、茎が弱い草木の植生には向いていないという欠点がある。このため、マットに種子の通芽や通根のための開孔、切り割、或いはスリットを形成して対応する必要があり、製作費が嵩むという欠点がある。
【０００４】
更に、植生基材は水溶性の袋体に収容しているため、冠水、豪雨等によって袋体が早々に溶解してしまい、しかも上述のようにマットが厚手で早期に分解しないことから植生基材が根を張る前に流出してしまうという欠点がある。また、マットは厚手に形成してあるため、重量が嵩むという欠点があり、このために可搬性に欠けるという欠点がある。
【０００５】
また、近年外来種により生態系が乱れるのを解消するために、法面の緑化にも在来種を繁殖させる方向にあり、このために飛来する在来種の種子を法面に定着させることが可能な植生シートが求められている。しかし、このような機能を持った植生シートは、従来提案されていない。
【０００６】
本発明は、従来技術の諸欠点と未解決の問題点に鑑みなされたもので、植生基材が早期に地盤に定着することができる、植生基材を分離して二層に設けてあるので冠水や長雨があっても植生基材の全てが流出してしまうことがないので確実に草木を繁殖させることができる、また飛来する在来種の種子を地盤に定着させることができる、上側ネットは発芽や生育を妨げることなく保護するので定着性に優れている、しかも軽量であるので施工性、可搬性に優れている植生シートを提供することを目的とする。
【課題を解決するための手段】
【０００７】
上述した課題を解決するために構成した請求項１に係る発明は、腐食性のシート本体と、該シート本体の下面に植生基材を貼着することにより形成した下側植生基材層と、前記シート本体の上面に植生基材を貼着することにより形成した中間植生基材層と、腐食性繊維により編成し、該中間植生基材層上に被装して前記シート本体に適宜の位置で接続材により係着した上側ネットとからなる。
【０００８】
また、請求項２に係る発明を構成する手段は、腐食性のシート本体と、該シート本体の下面に植生基材を貼着することにより形成した下側植生基材層と、前記シート本体の上面に植生基材を貼着することにより形成した中間植生基材層と、腐食性素材からなる基体に植生基材を充填又は貼着して形成し、該中間植生基材層上に所定の間隔で配設した複数の植生基材体と、腐食性繊維により編成し、該複数の植生基材体の上から前記中間植生基材層に被装して前記シート本体に適宜の位置で接続材により係着した上側ネットとからなる。
【０００９】
更に、請求項３に係る発明を構成する手段は、腐食性のシート本体と、該シート本体の下面に植生基材を貼着することにより形成した下側植生基材層と、前記シート本体の上面に植生基材を貼着することにより形成した中間植生基材層と、該中間植生基材層上に被装して前記シート本体に適宜の位置で接続材により係着した二重織りの上側ネットと、腐食性素材からなる基体に植生基材を充填又は貼着して形成し、該上側ネット内に所定の間隔で挿装した複数の植生基材体とからなる。
【００１０】
そして、前記シート本体及び／又は上側ネットは、稲藁で形成した藁菰を用いるとよい。
【００１１】
また、前記上側ネットは、適宜の太さの腐食性素材を粗く編成することによって、多数の種子捕捉穴部が縦横に形成したものを用いるとよい。
【００１２】
また、前記中間植生基材層は、前記下側植生基材層より溶解速度を遅く設定したものにするとよい。
【００１３】
更に、前記植生基材体は、綿糸を混在させた溶解紙で袋状に形成した基体に植生基材を充填して形成するとよい。
【００１４】
また、前記植生基材体は、綿糸を混在させた溶解紙又は分解性不織布の一面に植生基材を貼着し、ロール状に巻回して形成したものにするとよい。
【００１５】
更にまた、前記植生基材体は、綿糸を混在させた溶解紙又は分解性不織布の複数枚の各一面に植生基材を貼着し、同心円状に巻回して形成したものにするとよい。
【発明の効果】
【００１６】
本発明は以上詳述した如く構成したから、下記の諸効果を奏する。
（１）下面と上面に植生基材を貼着したシート本体を上側ネットで覆った二重構造に構成にしたから、植生シートは冠水、洪水、凍上、土砂滑落、豪雨等に対する強度性に優れているし、植生基材を地盤に確実に定着させることができる。
（２）植生基材はシート本体の下面と上面に分離して二層に設けたから、冠水、豪雨等によって植生基材が全て流出してしまうことがなく、確実に植生を図ることができる。
（３）シート本体及び／又は上側ネットは稲藁で形成した藁菰であるから、保温性に優れているし、強度性に優れていることから法面のエロージョン現象を抑制することができる。
（４）上側植生基材層の溶解速度を下側植生基材層より遅く設定したから、豪雨や冠水等によって下側の植生基材が流出してしまった場合でも上側の植生基材が日を置いて地盤に供給されることにより、地盤に確実に植生することができる。
（５）上側ネットは、多数の種子捕捉穴部を縦横に形成したものであるから、飛来する在来種の種子を捕捉して在来種の草木による地盤の保護と緑化を図ることができ、これによって生態系を維持することができる。
（６）上側ネットは種子捕捉穴部が形成してあることによって、発芽した草木は妨げられることなく伸長することができるし、地盤に定着するまで植生基材を保護することができる。
（７）植生基材体は、綿糸を混在させた溶解紙で袋状に形成した基体に植生基材を充填して構成してあるから、綿糸が溶解するまで植生基材を保持して植生基材の流出を可及的に防止することができる。
（８）植生基材体は、一面に植生基材を貼着した分解性不織布を巻回してロール状に形成するか、或いは一面に植生基材を貼着した複数枚の分解性不織布を同心円状に巻回して円柱状に形成することにより、植生基材は不織布を介して多層状に配列してあるから、植生基材が発芽する途中の段階で冠水や豪雨に見舞われても、植生基材の全てが流出することや、腐ってしまう事態を確実に防止することができる。
（９）シート本体及び上側ネットは軽量であるから、植生シートは施工性、可搬性に優れている。
【発明を実施するための最良の形態】
【００１７】
以下、本発明の実施の形態を図面に基づき詳述する。図１乃至図３は第１の実施の形態を示す。図において、１は腐食性の素材である稲藁を編んで網状に形成した藁菰からなるシート本体で、該シート本体１は略長方形に形成してある。
【００１８】
ここで、シート本体１に稲藁の藁菰を用いたのは、稲藁は皮が同心円状に多層をなしているので保温性に優れているし、茎としての強度性を有しているから冠水や豪雨にも強く、法面のエロージョン現象を抑制することができるからである。
【００１９】
また、シート本体１は、例えば椰子、ココナツ、麻等の繊維を撚り寄り合せた紐で網状に編んで形成してもよい。
【００２０】
２は該シート本体１の下面１Ａに設けられて地面に接する下側植生基材層を示す。該下側植生基材層２は種子と肥料を主とし、これに土壌改良剤、保水剤を添加して組成した植生基材２Ａを、シート本体１の下面１Ａ全面に水溶性粘着剤を吹付けることにより層状に定着してある。
【００２１】
３はシート本体１の上面１Ｂに設けた中間植生基材層を示す。該中間植生基材層３は下側植生基材層２とは異なって、肥料に土壌改良剤、保水剤を添加して組成したもので、種子は入れていない。そして、植生基材３Ａはシート本体１に水溶性粘着剤を吹付けることにより層状に定着してある。
【００２２】
ここで、中間植生基材層３の定着に用いる水溶性粘着剤は接着剤を配合することにより、下側植生基材層２の定着に用いる水溶性粘着剤より溶解速度を約５〜７日遅く設定してある。このように構成することにより、豪雨、冠水、霜等によって水分過剰で発芽に好ましくない状態にある地盤に下側の植生基材２Ａが供給された場合でも、中間の植生基材３Ａが５〜７日遅れで供給されることにより、良好な状態になった地盤に在来種の種子を定着することができる。
【００２３】
４は前記中間植生基材層３上に全面的に被装した上側ネットを示す。該上側ネット４は、例えば椰子、ココナツ、麻等の繊維を撚合わせて太さ約５ｍｍの紐状に形成したもの、或は稲藁等の適宜の太さのある腐食性素材５、６によって粗く一重織りに編成したものからなっており、太さのある素材５、６を用いることによって上、下面に抜ける約５ｍｍ四方の多数の種子捕捉穴部４Ａ、４Ａ、・・・が形成されている。そして、上側ネット４は中間植生基材層３上に被装した状態で縦横の四辺４Ｂ、４Ｃ及び内側の適宜の位置で腐食性の紐や金属フック等の接続材７、７、・・によりシート本体１に係着して一体化してある。
【００２４】
本実施の形態によれば、シート本体１の下面１Ａに植生基材層２を形成し、上面１Ｂにも植生基材層３形成してその上側全面を上側ネット４で覆った二重構造に構成したから、植生シートは冠水、洪水、凍上、土砂滑落、豪雨等に対する強度性に優れている。しかも、シート本体１の上下両面１Ａ、１Ｂに植生基材層２、３を形成してあるから冠水等があっても植生基材２Ａ、３Ａの全てが流出してしまう事態を避けることができ、植生基材２Ａ（３Ａ）を確実に定着させて発芽、生育することができる。
【００２５】
また、本実施の形態によれば、上側ネット４は全面に多数の種子捕捉穴部４Ａ、４Ａ、・・・が形成してあることにより、飛来する在来種の種子を該種子捕捉穴部４Ａに捕捉することができる。このため、中間植生基材３Ａは種子を配合しないで肥料と土壌改良剤及び保水剤で組成することにより、在来種の草木を発芽、生育させるようにしてある。
【００２６】
次に、図４及び図５に第２の実施の形態を示す。なお、本実施の形態及び後述する他の実施の形態の構成要素において、第１の実施の形態の構成要素と同一の構成要素には同一の符号を付して援用し、その説明を省略する。図において、１１、１１、・・・は中間植生基材層３上に適宜の間隔で配列した複数の植生基材体で、該植生基材体１１は椰子、ココナツ、麻、稲藁等を編成して形成した腐食性の袋１１Ａ内に肥料と土壌改良剤、保水剤を添加して組成した植生基材１１Ｂを充填したものからなる。なお、施工場所によっては、植生基材１１Ｂに種子を配合してもよい。
【００２７】
上述した複数の植生基材体１１、１１、・・・は中間植生基材３の上に適宜の間隔で配列し、その上に上側ネット４を被せ、四辺と適宜の位置で接続材７、７、・・によりシート本体１に係着して一体化してある。
【００２８】
上述の構成からなる本実施の形態によれば、シート本体１と上側ネット４との間に、中間植生基材層３に加えて複数の植生基材体１１を配設する構成にしたから、法面等での草木の定着と生育を確実に実現し、緑化を図ることができる。
【００２９】
更に、図６及び図７は第３の実施の形態を示す。図において、２１は上側ネットを示す。該上側ネット２１は例えば椰子、ココナツ、麻、稲藁等シート本体１に用いる腐食性の素材によって下側ネット部２１Ａと上側ネット部２１Ｂからなる二重織りに編成してあり、全面に多数の種子捕捉凹部（但し、図示せず。）が形成してある。
【００３０】
２２，２２、・・は互いに離間した状態で該下側ネット部２１Ａと上側ネット部２１Ｂとの間に挿装した複数の植生基材体を示す。該各植生基材体２２は第２の実施の形態における植生基材体１１と同様に、椰子、ココナツ、麻、稲藁等の繊維を編成して形成した腐食性の袋２２Ａ内に種子と肥料を主とし、これに土壌改良剤、保水剤を添加して組成した植生基材２２Ｂを充填したものからなる。
【００３１】
上述の構成からなる本実施の形態によれば、二重織りに編成した上側ネット２１に植生基材体２２を挿装することによって、上側ネット２１に植生基材体２２を確実に組合せることができるから、豪雨等によって植生基材体２２が流出する事態を確実に防止できる。また、上側ネット２１は二重織りに編成してあるから強度性に優れており、急斜面で流水に勢いがある法面等に敷設するのに好適である。
【００３２】
なお、植生基材体１１（２２）を構成する腐食性の袋１１Ａ（２２Ａ）は、綿糸を混在させた溶解紙で形成したものを用いるとよい。このように構成することにより、綿糸は溶解するまで植生基材１１Ｂ（２２Ｂ）を保持してその流出を可及的に防止し、植生基材１１Ｂ（２２Ｂ）が完全に流出してしまう事態を防止できる。
【００３３】
また、第２及び第３の実施の形態では、植生基材体１１（２２）は基体である袋１１Ａ（２２Ａ）に植生基材１１Ｂ（２２Ｂ）を充填して構成したが、図８に示すように、植生基材体３１は基体である複数枚の分解性の不織布３２、３２、・・の各一面３２Ａに植生基材３３を貼着し、これらを同心円状に巻回して円柱状に形成してもよい。或いは、図９に示すように、植生基材体４１は、基体である分解性の不織布４２の一面４２Ａに植生基材４３を貼着し、巻回してロール状に形成してもよい。
【００３４】
このように構成した植生基材体３１（４１）は、植生基材３３（４３）が不織布３２（４２）を介して多層状に保持してあるので、冠水や豪雨等があった場合でも全ての植生基材３３（４３）が流出する事態を確実に防止することができる。
【図面の簡単な説明】
【００３５】
【図１】図１乃至図３は本発明の第１の実施の形態に係り、図１は植生シートの分解斜視図である。
【図２】植生シートの縦断面図である。
【図３】上側ネットの部分拡大斜視図である。
【図４】図４及び図５は本発明の第２の実施の形態に係り、図４は植生シートの分解斜視図である。
【図５】植生シートの縦断面図である。
【図６】図６及び図７は本発明の第３の実施の形態に係り、図６は植生シートの分解斜視図である。
【図７】植生シートの縦断面図である。
【図８】他の構成の植生基材体を示す横断面図である。
【図９】更に他の構成の植生基材体示す横断面図である。
【符号の説明】
【００３６】
１        シート本体
１Ａ      下面
１Ｂ      上面
２        下側植生基材層
３        中間植生基材層
４        上側ネット
４Ａ      種子捕捉穴部
７        連結材
１１、２２、３１、４１    植生基材体
１１Ａ、２２Ａ    袋（基体）
２Ａ、３Ａ、１１Ｂ、２２Ｂ、３３、４３    植生基材
３２、４２        不織布（基体）
【図１】
0004692943.tif 000002
【図２】
0004692943.tif 000003
【図３】
0004692943.tif 000004
【図４】
0004692943.tif 000005
【図５】
0004692943.tif 000006
【図６】
0004692943.tif 000007
【図７】
0004692943.tif 000008
【図８】
0004692943.tif 000009
【図９】
0004692943.tif 000010